(57)【要約】【課題】皮膚に接触又は押圧させたときに、皮膚を侵襲することなく、かつ、折損し若しく屈曲することなく、皮膚に好ましい侵害性刺激を与えるようにした接触針を提供する。【解決手段】基板３の片面５に多数の凸部７を該基板と一体的に形成し、各凸部は弾性を有し、各凸部は基部９上に略円柱状の頂部１１を形成してなり、該頂部は該基板の前記片面と略平行な平らな上面１３を備え、該頂部の側面１５は該基板の前記片面に対し垂直であり、該基部は、中央縦断面図における外形線１７が内方に窪んだ湾曲線をなすと共に横断面図において該頂部より該基板の前記片面に向かって徐々に大径となる略円形状をなし、以て、接触針を皮膚に接触又は押圧させたときに各凸部が皮膚と略平行の方向に揺らぎを生ずるようにしたことを特徴とする接触針。【選択図】図１
2008259552.tif 000002
【特許請求の範囲】
【請求項１】
基板の片面に多数の凸部を該基板と一体的に形成し、
各凸部は弾性を有し、
各凸部は基部上に略円柱状の頂部を形成してなり、
該頂部は該基板の前記片面と略平行な平らな上面を備え、該頂部の側面は該基板の前記片面に対し垂直であり、
該基部は、中央縦断面図における外形線が内方に窪んだ湾曲線をなすと共に横断面図において該頂部より該基板の前記片面に向かって徐々に大径となる略円形状をなし、
以て、接触針を皮膚に接触又は押圧させたときに各凸部が皮膚と略平行の方向に揺らぎを生ずるようにしたことを特徴とする接触針。
【請求項２】
前記頂部の平らな上面は、基板の前記片面に対する傾斜角度が９°以内であることを特徴とする請求項１に記載の接触針。
【請求項３】
前記頂部の平らな上面は、該頂部の側面を除く表面積の８５％以上を占めることを特徴とする請求項１又は２に記載の接触針。
【請求項４】
前記基板と多数の凸部とをロックウエル硬さ試験又はデュロメータ硬さ試験による表面硬度が８０〜１２０の材料により形成したことを特徴とする請求項１〜３のいずれかに記載の接触針。
【請求項５】
前記頂部の直径は１０〜７０μｍであることを特徴とする請求項１〜４のいずれかに記載の接触針。
【請求項６】
前記基板の片面から前記各凸部の頂部の上面までの高さは５０〜５００μｍであることを特徴とする請求項１〜５のいずれかに記載の接触針。
【請求項７】
前記頂部の側面における前記片面に対する垂直方向の長さは、前記基板の片面から前記各凸部の頂部の上面までの前記高さの１０％以内であり、かつ、５〜５０μｍであることを特徴とする請求項６に記載の接触針。
【発明の詳細な説明】
【技術分野】
【０００１】
本発明は、接触針に関するものであり、特に、足裏しびれ、上下肢しびれ、指関節痛、腫れ、五十肩、頭痛、腰痛、膝痛、肘痛、筋肉痛、肩こり等の緩和ないし解消に効果のある接触針に係るものである。
【０００２】
接触針は、皮膚に接触又は押圧させたときに、皮膚を侵襲することなく皮膚に刺激を与えるようにした針手段である。
【背景技術】
【０００３】
実用新案登録第３１２０９４０号公報は、基板と、該基板の表面に突設した多数の凸部とよりなり、  該凸部は、０．０１〜０．２０ｍｍの直径と０．１〜２．０ｍｍの長さとを備え、相互に０．１〜５．０ｍｍの間隔を置いて配設されていることを特徴とする接触針（以下「従来の接触針」という。）を開示している。
【特許文献１】実用新案登録第３１２０９４０号公報
【発明の開示】
【発明が解決しようとする課題】
【０００４】
上記実用新案公報は、種々の形状を備えた凸部を開示しているが、これらの凸部は、先端が細く若しくは丸く形成されているため皮膚を侵襲し、又は、全体が截頭円錐状（円錐台状）に形成されているため折損し若しく屈曲するおそれがある。
【０００５】
本発明は、従来の接触針における上述の如き問題を解決し、皮膚に接触又は押圧させたときに、皮膚を侵襲することなく、かつ、折損し若しく屈曲することなく、皮膚に好ましい侵害性刺激を与えるようにした接触針を提供しようとしてなされたものである。
【課題を解決するための手段】
【０００６】
本発明者は、鋭意検討の結果、皮膚を侵襲することなく、かつ、折損し若しく屈曲することなく、皮膚に好ましい侵害性刺激を与えるためには、接触針を皮膚に接触又は押圧させたときに、各凸部が「揺らぎ」を生ずることが必要であるということに想到した。
【０００７】
「揺らぎ」は、接触針を皮膚に接触又は押圧させたときに、各凸部が皮膚と略平行の方向に揺動することである（図１５参照）。
【０００８】
すなわち、本発明は、各凸部が「揺らぎ」を生ずる下記のごとき接触針を提供する。
【０００９】
（１）基板の片面に多数の凸部を該基板と一体的に形成し、
各凸部は弾性を有し、
各凸部は基部上に略円柱状の頂部を形成してなり、
該頂部は該基板の前記片面と略平行な平らな上面を備え、該頂部の側面は該基板の前記片面に対し垂直であり、
該基部は、中央縦断面図における外形線が内方に窪んだ湾曲線をなすと共に横断面図において該頂部より該基板の前記片面に向かって徐々に大径となる略円形状をなし、
以て、接触針を皮膚に接触又は押圧させたときに各凸部が皮膚と略平行の方向に揺らぎを生ずるようにしたことを特徴とする接触針（請求項１）。
【００１０】
（２）前記頂部の平らな上面は、基板の前記片面に対する傾斜角度が９°以内である（請求項２）。
【００１１】
（３）前記頂部の平らな上面は、該頂部の側面を除く表面積の８５％以上を占めるものとする（請求項３）。
【００１２】
（４）前記基板と多数の凸部とをロックウエル硬さ試験又はデュロメータ硬さ試験による表面硬度が８０〜１２０の材料により形成する（請求項４）。
【００１３】
（５）前記頂部の直径は１０〜７０μｍである（請求項５）。
【００１４】
（６）前記基板の片面から前記各凸部の頂部の上面までの高さは５０〜５００μｍである（請求項６）。
【００１５】
（７）前記頂部の側面における前記片面に対する垂直方向の長さは、前記基板の片面から前記各凸部の頂部の上面までの前記高さの１０％以内であり、かつ、５〜５０μｍである（請求項７）。
【発明の効果】
【００１６】
本発明によれば、接触針を皮膚に接触又は押圧させたときに、皮膚の微妙な動きにより、各凸部が皮膚と略平行の方向に揺らぎを生ずる。したがって、接触針を皮膚に接触又は押圧させたときに、各凸部が皮膚を侵襲することなく皮膚に侵害性刺激を与える。その結果、足裏しびれ、上下肢しびれ、指関節痛、腫れ、五十肩、頭痛、腰痛、膝痛、肘痛、筋肉痛、肩こり等が緩和され又は解消される。
【発明を実施するための最良の形態】
【００１７】
本発明による接触針１は、基板３の片面５に多数の凸部７、７・・・を該基板３と一体的に形成してなるものである。基板３は、好ましくは、円板状をなす。図１０参照。
【００１８】
各凸部７は弾性を有する。
【００１９】
各凸部７は基部９上に略円柱状の頂部１１を形成してなる。
【００２０】
頂部１１は基板３の前記片面５と略平行な平らな上面１３を備え、該頂部１１の側面１５は該基板３の前記片面５に対し垂直である。
【００２１】
基部９は、中央縦断面図（図１）における外形線１７が内方に窪んだ湾曲線をなすと共に横断面図（図４）において頂部１１より基板３の前記片面５に向かって徐々に大径となる略円形状をなす。
【００２２】
接触針１を以上の如く形成することにより、接触針１を皮膚２１に接触又は押圧させたときに各凸部７が皮膚２１と略平行の方向に揺らぎを生ずるようになす。各凸部７の揺らぎは、皮膚２１の微妙な動きにより生ずる。
【００２３】
各凸部７は自ら能動的に動くものではなく、接触針１を皮膚２１に接触又は押圧させていないときには、各凸部７は静止状態にある。
【００２４】
各凸部７は弾性を有するため、揺らいだ後に静止状態に戻るときには、揺らぎ前の形状に復帰する。
【００２５】
各凸部７が揺らぎを生ずるときには、基部９が微動し、頂部１１は変形しない。図１５参照。
【００２６】
頂部１１の平らな上面１３は、基板３の前記片面５に対する傾斜角度が９°以内でなければならない。すなわち、頂部１１の平らな上面１３は、基板３の前記片面５との平行誤差（角度）が１０％以内でなければならない。頂部１１の平らな上面１３の傾斜角度が９°を上回るときには、各凸部７は皮膚を侵襲するおそれがあり、揺らいだ後に形状を復元せず、折損ないし屈曲を生ずる可能性もある。
【００２７】
頂部１１の平らな上面１３は、該頂部１１の側面１５を除く表面積の８５％以上を占めるものとする。
【００２８】
頂部１１の平らな上面１３が該頂部１１の側面１５を除く表面積の８５％未満であるときには、各凸部７は皮膚を侵襲するおそれがあり、揺らいだ後に形状を復元せず、折損ないし屈曲を生ずる可能性もある。
【００２９】
頂部１１の平らな上面１３が該頂部１１の側面１５を除く表面積の８５％以上を占める限り、頂部１１の平らな上面１３と該頂部１１の側面１５との間に曲面２３が存在しても差し支えない。図５参照。
【００３０】
図６に示す凸部７においては、頂部１１が平らな上面１３を備えていないため、該凸部７は、皮膚を侵襲するおそれがあり、揺らいだ後に形状を復元せず、折損ないし屈曲を生ずる可能性もある。また、頂部１１の側面が基板３の前記片面５に対し垂直に形成されていないため、好ましい揺らぎを生じない。
【００３１】
図７に示す凸部７においては、頂部１１が平らな上面１３を備えておらず、
しかも、頂部１１の側面が基板３の前記片面５に対し垂直に形成されていないだけでなく、中央縦断面図における基部９の外形線１７が内方に窪んだ湾曲線をなしていないため、該凸部７は、皮膚を侵襲するおそれがあり、揺らぎを生じない。
【００３２】
図８に示す凸部７においては、頂部１１が平らな上面１３を備えてはいるものの、凸部７全体が截頭円錐状に形成されているため、該凸部７は、揺らぎを生ずることなく、折損し又は屈曲するおそれがある。
【００３３】
図９示す凸部７においては、頂部１１が平らな上面１３を備えてはいるものの、凸部７全体が円柱状に形成されているため、該凸部７は、揺らぎを生ずることなく、折損し又は屈曲するおそれがある。
【００３４】
基板３と多数の凸部７、７・・・とをロックウエル硬さ試験又はデュロメータ硬さ試験による表面硬度が８０〜１２０の材料により形成する。
【００３５】
使用可能な材料としては、例えば、ポリアミド、ポリメチルペンテン、シリコーン、エラストマー、ポリアセタール、熱可塑性ポリウレタンエラストマー、塩化ビニル、ポリプロピレン、ポリエチレン等があげられるが、これらのなかでも特に、ポリアミド、ポリメチルペンテン、シリコーン、エラストマー等が好ましく使用される。
【００３６】
材料の表面硬度が１２０を上回っている場合には、接触針１を皮膚２１に接触又は押圧させたときに、凸部７が折損するおそれがあるだけでなく、頂部１１が平らな上面１３を備えていても凸部７が皮膚２１を侵襲するおそれがある。
【００３７】
材料の表面硬度が８０を下回っている場合には、接触針１を皮膚２１に接触又は押圧させたときに、凸部７が屈曲し、原型を維持しなくなるおそれがある。
【００３８】
凸部７の頂部１１は、略円柱状に形成されており、平面図において略円形をなす。
【００３９】
凸部７の頂部１１が平面図において六角形、三角形、四角形等の角のあるもの、あるいは楕円形である場合には、該頂部１１が皮膚２１に接触する際に、接触面に力が均一にかからないため、該頂部１１が皮膚２１を侵襲するおそれがある。
【００４０】
頂部１１の直径は１０〜７０μｍである。
【００４１】
頂部１１の直径が１０μｍを下回っている場合には、該頂部１１が皮膚２１を侵襲するおそれがあると共に、凸部７が折損し又は屈曲するおそれがある。
【００４２】
頂部１１の直径が７０μｍを上回っている場合には、該頂部１１の上面１３の面積が大きすぎるため、接触針１を皮膚２１に接触又は押圧させたときに、凸部７が揺らぎを生じないおそれがある。
【００４３】
基板３の片面５から各凸部７の頂部１１の上面１３までの高さは５０〜５００μｍである。
【００４４】
基板３の片面５から各凸部７の頂部１１の上面１３までの高さが５０μｍを下回っている場合には、頂部１１の直径１０〜７０μｍの範囲内においては、接触針１を皮膚２１に接触又は押圧させたときに、凸部７が揺らぎを生じないおそれがある。したがって、凸部７が皮膚２１を侵襲するおそれもある。
【００４５】
基板３の片面５から各凸部７の頂部１１の上面１３までの高さが５００μｍを上回っている場合には、頂部１１の直径１０〜７０μｍの範囲内においては、接触針１を皮膚２１に接触又は押圧させたときに、凸部７が折損し又は屈曲し、凸部７が揺らぎを生じないおそれがある。したがって、凸部７が皮膚２１を侵襲するおそれもある。
【００４６】
頂部１１の側面１５における前記片面５に対する垂直方向の長さは、基板３の片面５から各凸部７の頂部１１の上面１３までの前記高さ（５０〜５００μｍ）の１０％以内であり、かつ、５〜５０μｍである。
【００４７】
頂部１１の側面１５における前記片面５に対する垂直方向の長さが上記範囲内にあるときにのみ、凸部７は揺らぎを生じさせる。
【００４８】
本発明による接触針１は、例えば、図１１、図１２に示す如く、柄部３１を備えた支持体３３に取り付けて使用する。すなわち、該柄部３１を把持し、支持体３３に取り付けられた接触針１を皮膚２１に接触又は押圧させる。
【００４９】
また、本発明による接触針１は、例えば、図１３、図１４に示す如く、絆創膏等の粘着シート片３５の粘着面３７に粘着させて使用してもよい。この場合には、粘着面３７に接触針１を粘着保持させた粘着シート片３５を皮膚２１に粘着させることにより、接触針１を皮膚２１に接触又は押圧させる。
【図面の簡単な説明】
【００５０】
【図１】本発明による接触針の一例を示す断面図である。
【図２】凸部の一部を示す正面図である。
【図３】図２のＩＩＩ−ＩＩＩ線における断面図である。
【図４】図２のＩＶ−ＩＶ線における断面図である。
【図５】凸部の変形例の一部を示す正面図である。
【図６】好ましくない凸部の一例を示す正面図である。
【図７】好ましくない凸部の別の一例を示す正面図である。
【図８】好ましくない凸部の更に別の一例を示す正面図である。
【図９】好ましくない凸部の更に別の一例を示す正面図である。
【図１０】本発明による接触針の一例を示す平面図である。
【図１１】同上接触針を支持体に取り付けた状態を示す斜視図である。
【図１２】同上接触針を皮膚に接触又は押圧させている状態を示す正面図である。
【図１３】同上接触針を粘着シート片に取り付けた状態を示す斜視図である。
【図１４】同上接触針を皮膚に接触又は押圧させている状態を示す断面図である。
【図１５】凸部の揺らぎを示す正面図である。
【符号の説明】
【００５１】
１  接触針
３  基板
５  片面
７  凸部
９  基部
１１  頂部
１３  上面
１５  側面
１７  外形線
２１  皮膚
２３  曲面
３１  柄部
３３  支持体
３５  粘着シート片
３７  粘着面
【図１】
2008259552.tif 000003
【図２】
2008259552.tif 000004
【図３】
2008259552.tif 000005
【図４】
2008259552.tif 000006
【図５】
2008259552.tif 000007
【図６】
2008259552.tif 000008
【図７】
2008259552.tif 000009
【図８】
2008259552.tif 000010
【図９】
2008259552.tif 000011
【図１０】
2008259552.tif 000012
【図１１】
2008259552.tif 000013
【図１２】
2008259552.tif 000014
【図１３】
2008259552.tif 000015
【図１４】
2008259552.tif 000016
【図１５】
2008259552.tif 000017